(57)【要約】【課題】  ２値画像データに含まれる中間調領域と文字線領域とを判別する画像処理装置において、中間調領域と文字線領域との判別処理を正確に行うことができる画像処理装置を提供すること。【解決手段】  本発明の画像処理装置１は、２値画像データにおいて、注目画素及びそれに隣接する複数の隣接画素を設定する設定手段１８と、該設定手段１８により設定された前記複数の隣接画素のうち、その画素値が前記注目画素の画素値と異なる隣接画素の数が所定値を超えるか否かに基づいて、前記注目画素が中間調領域の候補となる中間調候補画素であるか否かを判断する判断手段１８と、該判断手段１８により前記中間調候補画素と判断された画素との位置関係に基づいて、前記２値画像データの各画素が中間調領域内の中間調画素であるか又は文字線領域内の文字線画素であるかを判別する判別手段１８と、を備える。【選択図】      図２
2006173955.tif 000002
【特許請求の範囲】
【請求項１】
２値画像データを取得する取得手段と、該取得手段により取得した前記２値画像データにおいて、注目画素及びそれに隣接する複数の隣接画素を設定する設定手段と、該設定手段により設定された前記複数の隣接画素のうち、その画素値が前記注目画素の画素値と異なる隣接画素の数が所定値を超えるか否かに基づいて、前記注目画素が中間調領域の候補となる中間調候補画素であるか否かを判断する判断手段と、該判断手段により前記中間調候補画素と判断された画素との位置関係に基づいて、前記２値画像データの各画素が中間調領域内の中間調画素であるか又は文字線領域内の文字線画素であるかを判別する判別手段と、を備えることを特徴とする画像処理装置。
【請求項２】
前記判別手段は、複数の前記中間調候補画素によって挟まれている画素を中間調画素であると判別することを特徴とする請求項１記載の画像処理装置。
【請求項３】
前記判別手段は、複数の前記中間調画素によって挟まれている画素を中間調画素であると判別することを特徴とする請求項１又は２記載の画像処理装置。
【請求項４】
前記判別手段により中間調画素であると判別された画素について平均多値化処理を行うとともに、文字線画素であると判別された画素について単純多値化処理を行うことにより、前記２値画像データを多値化する多値化手段を更に備えることを特徴とする請求項１乃至３のいずれか１に記載の画像処理装置。
【請求項５】
前記判別手段により中間調画素であると判別された画素について単純拡大処理を行うとともに、文字線画素であると判別された画素について拡大スムージング処理を行うことにより、前記２値画像データを拡大する拡大処理手段を更に備えることを特徴とする請求項１乃至３のいずれか１に記載の画像処理装置。
【発明の詳細な説明】
【技術分野】
【０００１】
本発明は、画像処理装置に関し、詳しくは、２値化された原稿の画像データに対して像域判定を行う機能を備えた画像処理装置に関する。
【背景技術】
【０００２】
従来より、コピー機、ファクシミリ装置等が具備する画像処理装置は、スキャナ等で読取られた原稿の多値画像データを２値化する場合、文字や線等の文字線領域については単純２値化し、グラフィックや写真等の中間調領域についてはディザ方式や誤差拡散方式等により２値化している。このようにして２値化された画像データ（以下、「２値画像データ」ともいう。）は、例えば、ファクシミリ送信等に使用される。
【０００３】
このように、ファクシミリ送信された２値画像データの画像を受信側の装置で用紙に記録する場合には、単純２値化された文字線領域とディザ方式や誤差拡散方式等により２値化された中間調領域とで画像処理を切り替えることが好ましい。しかし、ファクシミリ装置等が具備する従来の画像処理装置は、受信した２値画像データに含まれる各画素が中間調領域内の中間調画素であるか又は文字線領域内の文字線画素であるかを判別することができなかったため、受信した２値画像データに最適な画像処理を施すことができなかった。そのため、近年では、ファクシミリ受信した２値画像データの中間調領域と文字線領域とを判別する画像処理装置が考案されている（例えば、特許文献１参照。）。
【０００４】
特許文献１の画像処理装置は、符号化された２値画像データの主走査方向１ライン分の画像データに含まれるターミネイティング符号の総数を計数し、計数したターミネイティング符号の総数が所定値を超えていれば、そのラインの画像データを中間調領域と判別し、総数が所定値以下であれば、文字線領域であると判別する。これは、中間調領域の方が文字線領域よりも黒画素から白画素又は白画素から黒画素に変化する変化量が多いことにより、ターミネイティング符号の数が中間調領域の方が文字線領域よりも多くなることを利用したものである。なお、ターミネイティング符号とは、ＭＨ（Modified Huffman）符号のランレングス（白画素又は黒画素の継続する長さ）が０から６３までのものである。
【特許文献１】特開平９−２６１４５９号公報
【発明の開示】
【発明が解決しようとする課題】
【０００５】
しかしながら、特許文献１の画像処理装置は、２値画像データに含まれる中間調領域と文字線領域とを判別する処理をライン単位で行うため、１ライン中に中間調領域と文字線領域とが両方含まれているにも関らず、いずれか一方の領域であると判別されてしまうおそれがあり、正確な判別処理を行うことができないという問題点があった。
【０００６】
本発明は、以上のような問題点に鑑みてなされたものであり、２値画像データに含まれる中間調領域と文字線領域とを判別する画像処理装置において、中間調領域と文字線領域との判別処理を正確に行うことができる画像処理装置を提供することを目的とする。
【課題を解決するための手段】
【０００７】
上記目的を達成するために、請求項１記載の画像処理装置は、２値画像データを取得する取得手段と、該取得手段により取得した前記２値画像データにおいて、注目画素及びそれに隣接する複数の隣接画素を設定する設定手段と、該設定手段により設定された前記複数の隣接画素のうち、その画素値が前記注目画素の画素値と異なる隣接画素の数が所定値を超えるか否かに基づいて、前記注目画素が中間調領域の候補となる中間調候補画素であるか否かを判断する判断手段と、該判断手段により前記中間調候補画素と判断された画素との位置関係に基づいて、前記２値画像データの各画素が中間調領域内の中間調画素であるか又は文字線領域内の文字線画素であるかを判別する判別手段と、を備えることを特徴としている。
【０００８】
請求項２記載の画像処理装置は、請求項１記載の画像処理装置において、前記判別手段は、複数の前記中間調候補画素によって挟まれている画素を中間調画素であると判別することを特徴としている。
【０００９】
請求項３記載の画像処理装置は、請求項１又は２記載の画像処理装置において、前記判別手段は、複数の前記中間調画素によって挟まれている画素を中間調画素であると判別することを特徴としている。
【００１０】
請求項４記載の画像処理装置は、請求項１乃至３のいずれか１に記載の画像処理装置において、前記判別手段により中間調画素であると判別された画素について平均多値化処理を行うとともに、文字線画素であると判別された画素について単純多値化処理を行うことにより、前記２値画像データを多値化する多値化手段を更に備えることを特徴としている。
【００１１】
請求項５記載の画像処理装置は、請求項１乃至３のいずれか１に記載の画像処理装置において、前記判別手段により中間調画素であると判別された画素について単純拡大処理を行うとともに、文字線画素であると判別された画素について拡大スムージング処理を行うことにより、前記２値画像データを拡大する拡大処理手段を更に備えることを特徴としている。
【発明の効果】
【００１２】
請求項１記載の画像処理装置によれば、注目画素と画素値が異なる隣接画素の数が所定値を超えるか否かに基づいて、注目画素が中間調領域の候補となる中間調候補画素であるか否かを判断し、中間調候補画素と判断した画素との位置関係に基づいて、２値画像データを構成する各画素が中間調領域内の中間調画素であるか又は文字線領域の文字線画素であるかを判別するので、ライン単位ではなく、画素単位で中間調領域内の中間調画素であるか又は文字線領域内の文字線画素であるかを判別することができる。これにより、１ライン中に中間調領域と文字線領域とが両方含まれていても、それぞれの領域を正確に判別することができる。また、画素値が注目画素と異なる隣接画素の数、すなわち、主走査方向及び副走査方向の画像変化に基づいて判別処理を行うので、主走査方向の画像変化のみに基づいてライン単位で判別処理を行う従来の装置と比較して、より正確に判別処理を行うことができる。
【００１３】
請求項２記載の画像処理装置によれば、複数の中間調候補画素によって挟まれている画素を中間調画素であると判別するので、画素値が注目画素と異なる隣接画素の数のみに基づいて判別処理を行う場合に比べて、誤判別を生じにくくすることができる。これにより、中間調領域と文字線領域との判別処理をより正確に行うことができる。
【００１４】
請求項３記載の画像処理装置によれば、複数の中間調画素によって挟まれている画素を中間調画素であると判別するので、中間調領域と文字線領域との判別処理をより正確に行うことができる。
【００１５】
請求項４記載の画像処理装置によれば、中間調領域と文字線領域を判別し、中間調領域内の中間調画素については平均多値化処理、文字線領域内の文字線画素については単純多値化処理を行うので、２値画像データに対して、最適な画像処理を行うことができる。これにより、２値化処理により劣化した画像データを多値化してその画像を用紙に記録する場合に、美しい画像を記録することができる。
【００１６】
請求項５記載の画像処理装置によれば、中間調領域と文字線領域を判別して、中間調領域内の中間調画素については単純拡大処理、文字線領域内の文字線画素については拡大スムージング処理を行うので、２値画像データに対して、最適な画像処理を行うことができる。これにより、２値画像データを拡大してその画像を用紙に記録する場合に、より美しい画像を記録することができる。
【発明を実施するための最良の形態】
【００１７】
以下、本発明の実施形態に係る画像処理装置を図面に基づいて説明する。この画像処理装置１は、図１に例示するように、制御部（ＭＰＵ：Microprocessing Unit）２、ＲＯＭ（Read Only Memory）３、ＲＡＭ（Random Access Memory）４、原稿読取部５、コーデック６、符号メモリ７、ページメモリ８、ラインメモリ９、画像処理部１０、記録部１１、操作部１２、表示部１３、及び通信部１４を備えたものであって、各部２乃至１４はバス１５によって通信可能に接続されている。
【００１８】
制御部２は、ＲＯＭ３に格納された制御プログラムに従って、この画像処理装置１を構成する各部を制御する。ＲＡＭ４は、制御部２の主メモリ、ワークエリア等として機能し、各種の設定情報等を記憶している。原稿読取部５は、原稿の画像データを読取って所定の出力先に出力するものであり、図示しないが、ＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構、シェーディング補正、２値化処理等を行う画像処理回路等を有して構成されている。この原稿読取部５は、読取った原稿の多値画像データ、又は２値画像データを所定の出力先に出力する。
【００１９】
コーデック６は、コピーやファクシミリ送受信などのために画像データを符号化及び復号するものである。ここでは、原稿読取部５から出力された画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化された画像データ等を復号する。
【００２０】
符号メモリ７は、コーデック６によって符号化された画像データやファクシミリ受信した画像データを蓄積するものである。ページメモリ８は、原稿の多値画像データを蓄積する多値メモリ１６、原稿の２値画像データを蓄積する２値メモリ１７によって構成されている。ラインメモリ９は、原稿の２値画像データを所定ライン（主走査ライン）分蓄積するものである。
【００２１】
画像処理部１０は、２値画像データの各画素が中間調領域内の中間調画素であるか又は文字線領域内の文字線画素であるかを判別する像域判定回路１８と、像域判定回路１８の判別結果に基づいて、２値画像データに含まれる各画素に多値化処理を行う多値化処理部１９と、像域判定回路１８の判別結果に基づいて、２値画像データに含まれる各画素に拡大処理を行う拡大処理部２０とを備える。ここで、中間調領域とは、グラフィックや写真などの領域であり、文字線領域とは、文字や線などの領域である。
【００２２】
記録部１１は、ページメモリ８から読み出された画像データの画像を用紙に記録するものである。この記録部１１は、画素単位で光量調整可能なＬＥＤ（Light Emitting Diode）ヘッドを有しており、原稿の多値画像データ及び２値画像データの双方の画像データの画像を用紙に記録することができる。なお、本実施形態に係る記録部１１は、多値画像データの画像を用紙に記録するために、書込み光源としてＬＥＤを用いたものであるが、レーザ光源を書込み光源として用いてもよい。
【００２３】
操作部１２は、図示しないが、原稿読取部５に原稿の読取開始を指示するためのスタートキー、ファクシミリ番号やコピー部数等を入力するためのテンキー、各種設定を行うためのカーソルキーなど、表示部１３と連動した各種操作キーを備えている。表示部１３は、図示しないが、各種の設定状態や画像処理装置１の動作状態などを文字や図形などで表示する液晶表示装置（ＬＣＤ：Liquid Crystal Display）、点灯又は消灯で表示するＬＥＤランプなどを備えている。なお、液晶表示装置は、いわゆるタッチパネル式のものであり、操作部１２に代えてこの液晶表示装置の画面をユーザが指等で触れることにより各種の操作を行うこともできる。
【００２４】
通信部１４は、モデム２１及びＮＣＵ（Network Control Unit）２２を備えている。モデム２１は、例えばＩＴＵ−Ｔ（国際電気通信連合電気通信標準化部門）の勧告Ｖ．３０規格又はこれと同様のものに従った送受信データの変調及び復調を行うものである。ＮＣＵ２２は、電話回線を制御して電話をかけたり、切ったりする回線網制御装置であり、ＰＳＴＮ（Public Switched Telephone Network）２３に接続されている。制御部２は、この通信部１４を制御して画像データのファクシミリ送受信を行うことができる。
【００２５】
上記構成を備えた画像処理装置１は、原稿読取部５で原稿から読取った画像データの画像を用紙に記録するコピー機能、外部装置（不図示）との間で原稿の画像データをファクシミリ送受信するファクシミリ通信機能を備えるとともに、２値画像データの各画素が中間調領域内の中間調画素であるか又は文字線領域内の文字線画素であるかを判別し、この判別結果に基づいて２値画像データに多値化処理を行って、その画像を用紙に記録する機能を備えている。まず、２値画像データの各画素が中間調領域内の中間調画素であるか又は文字線領域の文字線画素であるかを判別する処理について以下に説明する。
【００２６】
図２は、ラインメモリ９、像域判定回路１８、及び多値化処理部１９の構成例を示した図である。像域判定回路１８は、例えば、符号メモリ７に蓄積された符号化された２値画像データに対する記録処理の開始命令などがあった場合に、上記の判別処理を行う。このとき、符号メモリ７に蓄積された符号化された２値画像データは、コーデック６に転送され、コーデック６は、この符号化された２値画像データを復号し、ページメモリ８の２値メモリ１７に展開する。そして、２値メモリ１７から読み出された２値画像データは、ラインメモリ９へと転送され、該ラインメモリ９に蓄積される。ここでは、ラインメモリ９は、５ライン分の２値画像データを蓄積する。なお、像域判定回路１８は、ラインメモリ９に蓄積された３ライン分の２値画像データを用いて上記の判別処理を行うが、後述する多値化処理部１９による多値化処理は、５ライン分の２値画像データを用いて行われる処理であるため、ラインメモリ９には５ライン分の２値画像データが蓄積される。
【００２７】
像域判定回路１８は、ラインメモリ９に蓄積された２値画像データの各画素が中間調領域内の中間調画素であるか又は文字線領域内の文字線画素であるかを判別するために、まず、ラインメモリ９に蓄積された２値画像データにおいて、注目画素及びそれに隣接する複数の隣接画素を設定する。具体的には、図３（ａ）の左図に示すように、注目画素を設定し、この注目画素の主走査方向及び副走査方向に隣接する画素を隣接画素に設定する。なお、本実施形態においては、注目画素の主走査方向及び副走査方向に隣接する画素を隣接画素として設定するが、図３（ａ）の右図に示すように、注目画素に隣接する全ての画素を隣接画素として設定してもよい。
【００２８】
次に、像域判定回路１８は、設定した複数の隣接画素のうち、その画素値が注目画素の画素値と異なる隣接画素の数が所定値を超えるか否かに基づいて、注目画素が中間調領域の候補となる中間調候補画素であるか否かを判断する。具体的には、まず、画素値が注目画素と異なる隣接画素の数を計数する。ここで、２値画像データの各画素の画素値は２値であるので、各画素の画素値は、「０」（白画素）又は「１」（黒画素）である。注目画素の画素値が「０」である場合は、画素値が注目画素と異なる隣接画素として、画素値が「１」である隣接画素の数を計数し、注目画素の画素値が「０」である場合は、画素値が「１」である隣接画素の数を計数する。例えば、図３（ｂ）に示すように注目画素と隣接画素を設定した場合、画素値が注目画素と異なる隣接画素の数として「４」を計数することができる。また、同図（ｃ）に示すように注目画素と隣接画素を設定した場合、画素値が注目画素と異なる隣接画素の数として「３」を計数することができる。ここでは、計数した数が所定値「２」を超える場合、すなわち、計数した数が「３」又は「４」である場合に、設定した注目画素が中間調領域の候補となる中間調候補画素であると判断し、所定値「２」以下である場合、すなわち、「０」〜「２」である場合に、設定した注目画素が中間調候補画素ではないと判断する。
【００２９】
例えば、図４（ａ）に示すパターン画像に含まれる各画素が中間調領域の候補となる中間調候補画素であるか否かを判断する場合、同図（ｂ）に示すハッチングされた画素を中間調候補画素であると判断することができる。なお、本実施形態においては、注目画素が中間調候補画素であるか否かを判断する際に用いる所定値を「２」としたが、所定値は「２」に限定されるものではなく、例えば、所定値を「３」として注目画素が中間調候補画素であるか否かを判断するようにしてもよい。
【００３０】
像域判定回路１８は、２値画像データの各画素が中間調領域の候補となる中間調候補画素であるか否かを判断した後、中間調候補画素と判断した画素との位置関係に基づいて２値画像データの各画素が中間調領域内の中間調画素であるか又は文字線領域内の文字線画素であるかを判別する。すなわち、複数の中間調候補画素によって挟まれている画素を中間調画素であると判別する。具体的には、図５（ａ）に示すような場合、注目画素は中間調候補画素であると判断した２の画素によって挟まれているので、この注目画素を中間調画素であると判別する。また、図５（ａ）に示す場合以外にも、同図（ｂ）乃至（ｌ）に示すような場合に、注目画素を中間調画素であると判別する。なお、図５は、中間調候補画素であると判断した２の画素によって挟まれている画素を中間調画素であると判別する場合について示しているが、当然、中間調候補画素であると判断した３以上の画素によって挟まれている画素も中間調画素として判別される。
【００３１】
例えば、図４（ｂ）に示すハッチングされた画素を中間調候補画素であると判断している場合、同図（ｃ）に示すハッチングされた画素を中間調画素であると判別する。
【００３２】
このように、像域判定回路１８は、注目画素と画素値が異なる隣接画素の数が所定値を超えるか否かに基づいて、注目画素が中間調領域の候補となる中間調候補画素であるか否かを判断し、中間調候補の画素と判断した画素との位置関係に基づいて、２値画像データを構成する各画素が中間調領域内の中間調画素であるか又は文字線領域の文字線画素であるかを判別するので、ライン単位ではなく、画素単位で中間調領域内の中間調画素であるか又は文字線領域内の文字線画素であるかを判別することができる。また、画素値が注目画素と異なる隣接画素の数、すなわち、主走査方向及び副走査方向の画像変化に基づいて判別処理を行うので、主走査方向の画像変化のみに基づいてライン単位で判別処理を行う従来の装置と比較して、より正確に判別処理を行うことができる。また、複数の中間調候補画素によって挟まれている画素を中間調画素であると判別するので（図４（ｂ）及び（ｃ）参照）、画素値が注目画素と異なる隣接画素の数のみに基づいて判別処理を行う場合に比べて、誤判別を生じにくくすることができる。
【００３３】
続いて、像域判定回路１８は、２値画像データの各画素が中間調領域内の中間調画素であるか又は文字線領域内の文字線画素であるかを判別した後、更に、複数の中間調画素によって挟まれている画素を中間調画素であると判別する。具体的には、中間調候補画素に基づいて中間調画素を判別した処理（図５参照）と同様に、中間調画素であると判別した複数の画素によって挟まれている画素についても中間調画素であると判別する。
【００３４】
例えば、図４（ｃ）に示すハッチングされた画素を中間調画素であると判別している場合、これらの画素に加えて、同図（ｄ）に示すハッチングされた画素を、更に、中間調画素として判別することができる。したがって、図４（ａ）に示したパターン画像においては、図４（ｃ）に示す中間調画素に図４（ｄ）に示す中間調画素を加えた、図４（ｅ）に示すハッチングされた画素が中間調画素であると判別される。なお、中間調画素であると判別されなかった画素は、文字線領域内の文字線画素であると判別される。このようにして像域判定回路１８が２値画像データの各画素が中間調領域内の中間調画素であるか又は文字線領域内の文字線画素であるかを判別した判別結果は、多値化処理部１９に出力される。
【００３５】
このように、像域判定回路１８は、複数の中間調候補画素によって挟まれている画素を中間調画素であると判別し（図４（ｂ）及び（ｃ）参照）、更に、複数の中間調画素によって挟まれている画素を中間調画素であると判別するので（図４（ｃ）及び（ｄ）参照）、中間調候補画素であると判断した画素をそのまま中間調画素とする場合に比べて、中間調領域と文字線領域との判別処理をより正確に行うことができる。
【００３６】
なお、本実施形態においては、複数の中間調画素によって挟まれている画素を中間調画素であると判別する処理を１度だけ行うが、この処理を繰り返し行うようにしてもよい。また、画素値が注目画素と異なる隣接画素の数が所定値を超える場合に注目画素を中間調候補画素であると判断するようにしたが、中間調候補画素であると判断した画素をそのまま中間調画素としてもよい。
【００３７】
次に、２値画像データに含まれる各画素に対して多値化処理部１９で行われる多値化処理について説明する。なお、本実施形態においては、２値画像データを４ビット（「０」〜「１５」）の多値画像データに多値化する場合について説明する。この多値化処理部１９で行われる多値化処理は、例えば、コーデック６により復号されて２値メモリ１７に展開された２値画像データを多値化して用紙に記録する場合に、像域判定回路１８の判別処理と並行して行われる。多値化処理部１９は、図２に示すように、単純多値化回路２４、平均多値化回路２５、及び選択回路２６を備える。
【００３８】
単純多値化回路２４は、ラインメモリ９から読み出された２値画像データに含まれる画素（２値画素）に単純多値化処理を行うものである。具体的には、２値画素の画素値が「０」である場合には、その画素値を「０」（最小値）に変換し、２値画素の画素値が「１」である場合には、その画素値を「１５」（最大値）に変換することにより、多値化処理を行う。このようにして単純多値化回路２４が単純多値化処理を行った画素は、選択回路２６に出力される。
【００３９】
平均多値化回路２５は、単純多値化回路２４の処理動作と並行して、ラインメモリ９から読み出された２値画像データに含まれる画素に平均多値化処理を行うものである。具体的には、注目画素及びその近接画素の画素値を平均して多値化処理を行う。例えば、図６（ａ）に示すような注目画素に平均多値化処理を行う場合、注目画素を中心とする５×５画素の画素値を平均した値を、多値化した場合の注目画素の画素値とする。この場合、（Ｎ／２６）×１６の計算式で表される演算処理を行って注目画素の画素値を算出する。ここで、Ｎは各画素の画素値の総和であるが、２値画素の画素値は「０」又は「１」の２値であるので、Ｎは画素値が「１」である黒画素の数と同じになる。図６（ａ）に示す場合は、Ｎ＝１３であるので、平均多値化回路２５は、（１３／２６）×１６の演算を行って、画素値「８」を算出する。
【００４０】
また、各画素の画素値に例えば図６（ｂ）に示すような重み係数を乗じた値を平均して、多値化処理を行うようにしてもよい。この場合、上記の計算式は、｛（１×Ｘ＋２×Ｙ＋３×Ｚ）／（１×１６＋２×８＋３×１）｝×１６、すなわち、｛（１×Ｘ＋２×Ｙ＋３×Ｚ）／３５｝×１６となる。ここで、Ｘは重み係数「１」がつけられた黒画素の数であり、Ｙは重み係数「２」がつけられた黒画素の数であり、Ｚは重み係数「３」がつけられた黒画素の数である。したがって、図６（ａ）に示す場合は、Ｘ＝８、Ｙ＝４、Ｚ＝1であるので、平均多値化回路２５は、｛（１×８＋２×４＋３×１）／３５｝×１６の演算を行って、画素値「９」を算出する。このようにして平均多値化回路２５が平均多値化処理を行った画素は、選択回路２６に出力される。
【００４１】
選択回路２６は、前記像域判定回路１８からの判別結果に基づいて、単純多値化回路２４が出力した画素又は平均多値化回路２５が出力した画素のいずれか一方を選択して記録部１１に出力する。すなわち、像域判定回路１８が文字線画素であると判別した画素に平均多値化処理を行うと、文字や線のつぶれが生じ、画質が劣化するので、像域判定回路１８が文字線画素であると判別した画素については、単純多値化回路２４が単純多値化処理を行った画素を記録部１１に出力し、像域判定回路１８が中間調画素であると判別した画素については、平均多値化回路２５が平均多値化処理を行った画素を記録部１１に出力する。
【００４２】
このように、多値化処理部１９は、像域判定回路１８により中間調画素であると判別された画素について平均多値化処理を行うとともに、文字線画素であると判別された画素について単純多値化処理を行うことにより、２値画像データを多値化する。これにより、２値画像データに対して、最適な画像処理を行うことができるとともに、２値化により劣化した画像データを多値化してその画像を記録部１１で用紙に記録する場合に、より美しい画像を記録することができる。
【００４３】
ここまでは、２値画像データの各画素が中間調領域内の中間調画素であるか又は文字線領域内の文字線画素であるかを判別し、この判別結果に基づいて２値画像データに多値化処理を行って記録処理を行う場合について説明した。以下、２値画像データの各画素が中間調領域内の中間調画素であるか又は文字線領域内の文字線画素であるかを判別し、この判別結果に基づいて２値画像データに拡大処理を行って、その画像を用紙に記録する場合について説明する。なお、２値画像データの各画素が中間調領域内の中間調画素であるか又は文字線領域内の文字線画素であるかを判別する処理は、上記した像域判定回路１８によって行われる処理であるので、説明を省略する。
【００４４】
図７は、ラインメモリ９、像域判定回路１８、及び拡大処理部２０の構成例を示した図である。図示するように、拡大処理部２０は、単純拡大回路２７、拡大スムージング回路２８、及び選択回路２９を備える。拡大処理部２０による２値画像データの拡大処理は、例えば、コーデック６により復号されて２値メモリ１７に展開された２値画像データに拡大処理を行って記録する場合に、像域判定回路１８の判別処理と並行して行われる。なお、像域判定回路１８による判別処理、及び拡大処理部２０による拡大処理は、３ライン分の２値画像データを用いて行われる処理であるため、ここでは、ラインメモリ９に３ライン分の２値画像データが蓄積される。
【００４５】
単純拡大回路２７は、ラインメモリ９から読み出された２値画像データに含まれる画素に単純拡大処理を行うものである。例えば、図８に示すパターン画像ａの中央の画素を２倍拡大する場合、画素を主走査方向及び副走査方向に単純に２倍したパターン画像ｂを生成する。このようにして単純拡大回路２７が単純拡大処理を行った画素は、選択回路２９に出力される。
【００４６】
拡大スムージング回路２８は、前記単純拡大回路２７の処理動作と並行して、ラインメモリ９から読み出された２値画像データに含まれる画素に拡大スムージング処理を行うものである。例えば、図８に示すパターン画像ａの中央の画素を２倍拡大スムージング処理した場合、パターン画像ｃを生成する。このようにして拡大スムージング回路２８が拡大スムージング処理を行った画素は、選択回路２９に出力される。
【００４７】
選択回路２９は、像域判定回路１８からの判別結果に基づいて、単純拡大回路２７が出力した画素又は拡大スムージング回路２８が出力した画素のいずれか一方を選択して記録部１１に出力する。すなわち、像域判定回路１８が中間調画素であると判別した画素に拡大スムージング処理を行うと、画素が補われて画質の劣化が生じるので、像域判定回路１８が中間調画素であると判別した画素については、単純拡大回路２７が単純拡大処理を行った画素を記録部１１に出力し、像域判定回路１８が文字線画素であると判別した画素については、拡大スムージング回路２８が拡大スムージング処理を行った画素を記録部１１に出力する。例えば、図８に示したパターン画像ａの中央の画素が中間調画素であると像域判定回路１８が判別した場合には、パターン画像ｂを記録部１１に出力し、パターン画像ａの中央の画素が文字線画素であると像域判定回路１８が判別した場合には、パターン画像ｃを記録部１１に出力する。
【００４８】
このように、拡大処理部２０は、像域判定回路１８により中間調画素であると判別された画素について単純拡大処理を行うとともに、文字線画素であると判別された画素について拡大スムージング処理を行うことにより、２値画像データを拡大する。これにより、２値画像データに対して、最適な画像処理を行うことができるとともに、２値化により劣化した画像データを拡大してその画像を記録部１１で用紙に記録する場合に、より美しい画像を記録することができる。
【００４９】
なお、本実施形態で示した画像処理装置１の構成は、本発明に係る画像処理装置の一態様にすぎず、本発明の要旨を逸脱しない範囲内で適宜設計変更できることは勿論であり、２値化された原稿の画像データに対して像域判定を行う機能を備えた装置であれば、例えば、コピー機や複合機としても実現可能である。
【産業上の利用可能性】
【００５０】
本発明は、例えば、２値画像データに含まれる中間調領域と文字線領域とを判別する画像処理装置に適用することができる。
【図面の簡単な説明】
【００５１】
【図１】本発明の実施形態に係る画像処理装置の構成例を示したブロック図である。
【図２】ラインメモリ、像域判定回路、及び多値化処理部の構成例を示した図である。
【図３】注目画素が中間調候補画素であるか否かを判断する処理を説明するための図である。
【図４】中間調領域内の中間調画素であるか又は文字線領域内の文字線画素であるかを判別する処理を説明するための図である。
【図５】中間調候補画素に基づいて中間調画素であるか否かを判別する処理を説明するための図である。
【図６】平均多値化処理を説明するための図である。
【図７】ラインメモリ、像域判定回路、及び拡大処理部の構成例を示した図である。
【図８】単純拡大処理及び拡大スムージング処理を説明するための図である。
【符号の説明】
【００５２】
１    画像処理装置
２    制御部
３    ＲＯＭ
４    ＲＡＭ
５    原稿読取部
１０    画像処理部
１１    記録部
１４    通信部
１８    像域判定回路
１９    多値化処理部
２０    拡大処理部
２４    単純多値化回路
２５    平均多値化回路
２６、２９    選択回路
２７    単純拡大回路
２８    拡大スムージング回路
【図１】
2006173955.tif 000003
【図２】
2006173955.tif 000004
【図３】
2006173955.tif 000005
【図４】
2006173955.tif 000006
【図５】
2006173955.tif 000007
【図６】
2006173955.tif 000008
【図７】
2006173955.tif 000009
【図８】
2006173955.tif 000010